(57)【要約】【課題】ＬＥＤランプの盗難を防止できるＬＥＤランプ用ソケットを提供する。【解決手段】ソケット２は、基部１６と保持部１７とを備える。基部１６は、直管形のＬＥＤランプ１に電力を供給する。保持部１７は、基部１６に着脱可能に設けられる。また、保持部１７は、鉤部３４と解除孔３７とを備える。鉤部３４は、保持部１７を基部１６から取り外すことができない状態にする第１位置と保持部１７を基部１６から取り外し可能な状態にする第２位置とに変位する。解除孔３７は、鉤部３４の少なくとも一部が内部で露出する。鉤部３４は、解除孔３７に挿入された工具３５によって上記一部が押されることにより、第１位置から第２位置に変位する。【選択図】図１３
2015185357.tif 000002
【特許請求の範囲】
【請求項１】
直管形のＬＥＤランプに電力を供給する基部と、
前記基部に着脱可能に設けられ、前記ＬＥＤランプの一端部が貫通する保持孔が形成された保持部と、
を備え、
前記保持部は、
前記保持部を前記基部から取り外すことができない状態にする第１位置と前記保持部を前記基部から取り外し可能な状態にする第２位置とに変位する鉤部と、
前記鉤部の少なくとも一部が内部で露出する解除孔と、
を備え、
前記鉤部は、前記解除孔に挿入された第１工具によって前記一部が押されることにより、前記第１位置から前記第２位置に変位するＬＥＤランプ用ソケット。
【請求項２】
前記保持部は、
前記保持孔が形成された本体と、
前記保持孔に通じる開口を開閉する閉塞体と、
前記閉塞体を押し付け、前記開口を閉塞させる弾性体と、
を備え、
前記閉塞体は、前記本体に取り付けられた第２工具により、前記開口が開放される開放位置で保持される請求項１に記載のＬＥＤランプ用ソケット。
【請求項３】
前記本体は、
前記閉塞体が配置される支持孔と、
前記開口を挟んで前記支持孔と一直線状に形成された挿入孔と、
を備え、
前記閉塞体は、前記挿入孔に挿入された第３工具によって先端が押されることにより、前記開口が開放する方向に移動する
請求項２に記載のＬＥＤランプ用ソケット。
【請求項４】
前記本体は、
前記閉塞体が配置される支持孔と、
前記支持孔に通じる挿入孔と、
を備え、
前記閉塞体は、前記挿入孔に挿入されて前記支持孔の内部に配置された前記第２工具に接触し、前記開放位置で保持される請求項２に記載のＬＥＤランプ用ソケット。
【請求項５】
前記保持部は、裏面が前記基部側を向き、
前記挿入孔は、前記保持部の裏面で開口する
請求項４に記載のＬＥＤランプ用ソケット。
【請求項６】
前記保持部は、裏面が前記基部側を向き、
前記解除孔は、前記保持孔の上方で前記保持部の表面で開口する
請求項２から請求項４の何れか一項に記載のＬＥＤランプ用ソケット。
【請求項７】
直管形のＬＥＤランプに電力を供給する基部と、
前記基部に着脱可能に設けられ、前記ＬＥＤランプの一端部が貫通する保持孔が形成された保持部と、
を備え、
前記保持部は、
前記保持孔が形成された本体と、
前記保持孔に通じる開口を開閉する閉塞体と、
前記閉塞体を押し付け、前記開口を閉塞させる弾性体と、
を備え、
前記閉塞体は、前記本体に取り付けられた工具により、前記開口が開放される開放位置で保持されるＬＥＤランプ用ソケット。
【発明の詳細な説明】
【技術分野】
【０００１】
この発明は、ＬＥＤランプ用ソケットに関する。
【背景技術】
【０００２】
ＬＥＤ（発光ダイオード）を備えた照明灯は、二酸化炭素の削減効果や省エネ効果があり、寿命が長く、且つ紫外線や熱線がほとんど発生しない等、数々の利点を有している。このため、ＬＥＤを備えた照明灯（以下、「ＬＥＤランプ」ともいう）は、近年急速に市場に普及されつつある。
例えば、特許文献１及び２に、直管形のＬＥＤランプの従来技術が開示されている。
【０００３】
特許文献１及び２に記載されたＬＥＤランプは、両方の口金が蛍光ランプの口金と同じ形状を有している。即ち、このＬＥＤランプが取り付けられるソケットに、同じ口金を持った直管形の蛍光ランプを取り付けることができる。
ＬＥＤランプ用のソケットに蛍光ランプが取り付けられることは、好ましいことではない。そこで、直管形のＬＥＤランプ専用の口金として、口金ＧＸ１６ｔ−５が日本工業規格に制定された。
【０００４】
この規格では、口金の入力電圧が直流５０Ｖと規定されている。このため、１００Ｖａｃ或いは２００Ｖａｃの商用電源に接続するためには、専用の電源装置が必要になる。特許文献３に、口金ＧＸ１６ｔ−５を備えたＬＥＤランプと専用のソケットとが開示されている。
【先行技術文献】
【特許文献】
【０００５】
【特許文献１】実開平６−５４１０３号公報
【特許文献２】特開２０１０−９７９１９号公報
【特許文献３】特開２０１３−２５４６９１号公報
【発明の概要】
【発明が解決しようとする課題】
【０００６】
直管形のＬＥＤランプは、蛍光灯と比較して寿命が長い。電気回路の信頼性を高く設定すれば、現在の技術でも２０年以上の使用が可能である。このため、一般消費者がＬＥＤランプの交換を行うことができなくても、商品の利便性が損なわれることはない。
【０００７】
一方、特許文献３に記載されたＬＥＤランプには、商用電源に接続できるように電源装置が内蔵されている。このため、ＬＥＤランプ自体が高価となる。駐車場等の人気があまりない場所で多くのＬＥＤランプが使用されると、盗難の恐れがあった。
【０００８】
この発明は、上述のような課題を解決するためになされた。この発明の目的は、取り付けられているＬＥＤランプの盗難を防止できるＬＥＤランプ用ソケットを提供することである。
【課題を解決するための手段】
【０００９】
この発明に係るＬＥＤランプ用ソケットは、直管形のＬＥＤランプに電力を供給する基部と、基部に着脱可能に設けられ、ＬＥＤランプの一端部が貫通する保持孔が形成された保持部と、を備え、保持部は、保持部を基部から取り外すことができない状態にする第１位置と保持部を基部から取り外し可能な状態にする第２位置とに変位する鉤部と、鉤部の少なくとも一部が内部で露出する解除孔と、を備え、鉤部は、解除孔に挿入された第１工具によって一部が押されることにより、第１位置から第２位置に変位するものである。
【００１０】
また、この発明に係るＬＥＤランプ用ソケットは、直管形のＬＥＤランプに電力を供給する基部と、基部に着脱可能に設けられ、ＬＥＤランプの一端部が貫通する保持孔が形成された保持部と、を備え、保持部は、保持孔が形成された本体と、保持孔に通じる開口を開閉する閉塞体と、閉塞体を押し付け、開口を閉塞させる弾性体と、を備え、閉塞体は、本体に取り付けられた工具により、開口が開放される開放位置で保持されるものである。
【発明の効果】
【００１１】
この発明に係るＬＥＤランプ用ソケットであれば、取り付けられているＬＥＤランプの盗難を防止できるようになる。
【図面の簡単な説明】
【００１２】
【図１】この発明の実施の形態１におけるＬＥＤランプ用ソケットが用いられた照明装置を示す斜視図である。
【図２】図１に示す照明装置の要部を下方から見た図である。
【図３】図１に示すＬＥＤランプの正面図である。
【図４】この発明の実施の形態１におけるＬＥＤランプ用ソケットを示す正面図である。
【図５】この発明の実施の形態１におけるＬＥＤランプ用ソケットを示す側面図である。
【図６】この発明の実施の形態１におけるＬＥＤランプ用ソケットを示す側面図である。
【図７】この発明の実施の形態１におけるＬＥＤランプ用ソケットを示す底面図である。
【図８】図４から図７に示すソケットの基部を示す図である。
【図９】図４から図７に示すソケットの保持部の本体を示す斜視図である。
【図１０】図４から図７に示すソケットの保持部の本体を示す図である。
【図１１】図４から図７に示すソケットの保持部の閉塞体を示す図である。
【図１２】図４から図７に示すソケットの保持部の押えばねを示す図である。
【図１３】図４のＣ−Ｃ断面を示す図である。
【図１４】取り外し用の工具を示す図である。
【図１５】取り替え用の工具を示す図である。
【図１６】ＬＥＤランプの取り替えを行う時の操作を説明するための図である。
【図１７】図１６のＤ−Ｄ断面を示す図である。
【発明を実施するための形態】
【００１３】
添付の図面を参照し、本発明を詳細に説明する。重複する説明は、適宜簡略化或いは省略する。各図では、同一又は相当する部分に、同一の符号を付している。
【００１４】
実施の形態１．
図１はこの発明の実施の形態１におけるＬＥＤランプ用ソケットが用いられた照明装置を示す斜視図である。図２は図１に示す照明装置の要部を下方から見た図である。
図１及び図２に示す照明装置は、ＬＥＤランプ１、ＬＥＤランプ１用のソケット２及び３、カバー４を備える。
【００１５】
図３は図１に示すＬＥＤランプの正面図である。
ＬＥＤランプ１は、直管形のランプである。ＬＥＤランプ１は、内部に、複数のＬＥＤ素子（図示せず）を備える。また、ＬＥＤランプ１は、内部に、基板（図示せず）とパワーユニット（図示せず）とを備える。ＬＥＤ素子は、基板に設けられる。パワーユニットは、ＬＥＤ素子（基板）に電力を供給する。パワーユニットに電力が供給されると、ＬＥＤ素子が発光する。ＬＥＤ素子が設けられた基板とパワーユニットとは、長尺の管状体５の内部に配置される。管状体５は、透光体６及び支持体７により、要部が構成される。
【００１６】
透光体６は、所定の透光性を有する部材（例えば、アクリル）からなる。透光体６は、基板の表面側を覆う。支持体７は、金属部材（例えば、アルミ）からなる。基板及び透光体６は、支持体７に設けられる。ＬＥＤ素子で発生した熱は、基板を介して支持体７に伝わる。支持体７は、基板及び透光体６を支持する機能の他に、放熱器としての機能を備える。
【００１７】
管状体５の一方の端部に、口金８が設けられる。口金８は、例えば、支持体７の一端部に固定される。口金８は、ソケット２に接続される。口金８のうちソケット２に実際に接続される部分は、直管形の蛍光ランプの口金と同じ構成でも良い。例えば、口金８は、蛍光ランプのＧ１３口金と同じ形状を有する。
【００１８】
口金８は、端部カバー９、突出部１０、端子１１を備える。
端部カバー９は、管状体５の一端に形成された開口を塞ぐ。突出部１０は、直方体状を呈し、端部カバー９から突出する。端子１１は、外部からの電力を、パワーユニット及び基板を介してＬＥＤ素子に供給する。端子１１は、突出部１０から管状体５（ＬＥＤランプ１）の長手方向に更に突出するように、突出部１０の先端面に設けられる。
【００１９】
管状体５の他方の端部に、口金１２が設けられる。口金１２は、例えば、支持体７の他端部に固定される。口金１２は、ソケット３に接続される。口金１２のうち、ソケット３に実際に接続される部分は、直管形の蛍光ランプの口金とは異なる構成（形状）を有する。
【００２０】
口金１２は、端部カバー１３、突出部１４を備える。口金１２は、外部電力をＬＥＤ素子（パワーユニット）に供給するための端子を備えていない。端部カバー１３は、管状体５の他端に形成された開口を塞ぐ。突出部１４は、円柱状を呈し、端部カバー１３から突出する。突出部１４は、外周面に、ＬＥＤランプ１の向きを固定するための溝１５が形成される。
【００２１】
図４はこの発明の実施の形態１におけるＬＥＤランプ用ソケットを示す正面図である。図４は、口金８が接続されるソケット２を示している。図５及び図６はソケット２を示す側面図である。図５はソケット２を図４のＡ方向から見た図である。図６はソケット２を図４のＢ方向から見た図である。図７は、ソケット２を示す底面図である。
【００２２】
ソケット２は、ＬＥＤランプ１の一端部（口金８）を保持する機能と、ＬＥＤランプ１に電力を供給する機能とを備える。ソケット２は、ＬＥＤランプ１の他端部（口金１２）を保持する機能を備えていない。
【００２３】
ソケット２は、基部１６、保持部１７から構成される。図８は、図４から図７に示すソケットの基部を示す図である。図８（ａ）は基部１６の側面図を示している。図８（ｂ）は基部１６の正面図を示している。
【００２４】
基部１６は、本体１８、回転体１９、給電用の板ばね（図示せず）を備える。
本体１８は、上端部が、建築側の取付部（図示せず）に固定される。建築側の取付部は、カバー４の上方に配置される。カバー４によってＬＥＤランプ１の上方を覆うことにより、取付部等の建築側の構成を隠すことができる。本体１８は、上端部が建築側の取付部に固定されると、カバー４に形成された開口２０（切り欠きを含む）を通過して、カバー４の下方に突出する。
【００２５】
本体１８の下部に、円形に窪んだ凹部２１が形成される。凹部２１は、本体１８のＬＥＤランプ１側を向く面（表面）に開口する。凹部２１の底面から突出するように、ガイド２２が設けられる。ガイド２２は、全体として円柱状を呈する。回転体１９は、円筒状を呈する。回転体１９は、ガイド２２の周囲を取り囲むように、凹部２１内に配置される。回転体１９は、ガイド２２に案内され、ガイド２２を中心に回転する。
【００２６】
回転体１９の２箇所に、凹部２１の開口方向と同じ方向に開口する凹部２３が形成される。本体１８の下端部及びガイド２２にも、凹部２３と同じ方向に開口する凹部２４及び２５が形成される。凹部２３が凹部２５の上下に配置されると、凹部２４と凹部２５と２つの凹部２３とが上下に一直線状に並ぶ。これにより、本体１８の下端部、回転体１９、ガイド２２を縦断するように、基部１６に一本の溝２６が形成される。
【００２７】
溝２６は、本体１８の表面側及び下方に開口する。ＬＥＤランプ１の取り付け時、回転体１９の位置が適切に合わされ、溝２６が形成される。溝２６に、ＬＥＤランプ１の端子１１が配置される。端子１１は、下方から溝２６に進入する。端子１１の一方が凹部２３の一方に、端子１１の他方が凹部２３の他方に配置された状態で、ＬＥＤランプ１がその軸を中心に回転されると、回転体１９が端子１１に押されて回転する。
【００２８】
本体１８は、ＬＥＤランプ１を所定の向き（第１向き）で保持する機能を有する。例えば、ＬＥＤランプ１は、基板が水平となり且つＬＥＤ素子が下方を向く向きで保持される。ＬＥＤランプ１が第１向きで保持されると、一定以上の力でＬＥＤランプ１を回転させなければ、この保持状態を解除することはできない。
【００２９】
端子１１が凹部２３内に配置された状態でＬＥＤランプ１が第１向きを向くように配置されると、端子１１が、給電用の板ばねに接触する。これにより、基部１６（ソケット２）からＬＥＤランプ１に電力が供給される。
【００３０】
本体１８の表面に、位置決め用の凹部２７が形成される。図８では、本体１８に３つの凹部２７を形成した場合を一例として示している。また、本体１８の表面に、保持部１７を基部１６に取り付ける際に利用される取付穴２８が形成される。本体１８は、内部が空洞である。取付穴２８は、本体１８の表面を構成する板状の部材に形成される。
基部１６は、本体１８に凹部２７と取付穴２８とが形成されていること以外、直管形蛍光ランプ用のソケット（例えば、Ｇ１３口金用のソケット）と同じ構成を有していても構わない。
【００３１】
保持部１７は、基部１６に着脱可能に構成される。保持部１７は、種々の機能を備える。例えば、保持部１７は、ＬＥＤランプ１の一端部を保持する機能を備える。保持部１７は、ＬＥＤランプ１の盗難防止機能を備える。例えば、保持部１７は、第三者によってＬＥＤランプ１がソケット２から取り外されることを防止する機能を備える。保持部１７は、第三者によって保持部１７が基部１６から取り外されることを防止する機能を備える。
【００３２】
これらの機能を実現するため、保持部１７は、本体２９、閉塞体３０、押えばね３１を備える。図９から図１２は、図４から図７に示すソケットを構成する部材を示す図である。具体的に、図９は本体２９の斜視図である。図１０（ａ）は本体２９の正面図である。図１０（ｂ）は本体２９の側面図である。図１０（ｃ）は本体２９の平面図である。図１１（ａ）は閉塞体３０の正面図である。図１１（ｂ）は閉塞体３０の底面図である。図１２（ａ）は押えばね３１の正面図である。図１２（ｂ）は押えばね３１の側面図である。
【００３３】
本体２９は、２つの腕部３２を備える。腕部３２は、その先端が鉤状に形成される。腕部３２は、基部１６の本体１８を挟み込むように本体１８の側方に配置される。腕部３２の鉤状を呈する先端部が本体１８の裏面に掛かることにより、本体２９（保持部１７）は本体１８（基部１６）に取り付けられる。なお、本体１８の裏面は、表面の反対側を向く面である。
【００３４】
本体２９が本体１８に適切に取り付けられると、本体２９の裏面が本体１８の表面に対向して密着する。本体２９の表面は、ＬＥＤランプ１側を向く面である。本体２９の裏面は、表面の反対側を向く面である。即ち、本体２９（保持部１７）の裏面は、本体１８側（基部１６側）を向く。本体２９は、裏面に位置決め用の凸部３３を備える。本体２９が本体１８に適切に取り付けられると、凸部３３は凹部２７内に配置される。
【００３５】
本体２９は、本体１８の取付穴２８に対向する位置に鉤部３４を備える。鉤部３４は、第三者によって保持部１７が基部１６から取り外されることを防止するためのものである。図１３は、図４のＣ−Ｃ断面を示す図である。
【００３６】
鉤部３４は、円筒の部材を縦に半分に切ったような形状を呈する。鉤部３４は、先端部が本体２９の裏面から突出する。鉤部３４の先端部は鉤状を呈する。本体２９が本体１８に適切に取り付けられると、鉤部３４の先端部が取付穴２８の縁に引っ掛かる。図１３（ａ）は、本体２９が本体１８に適切に取り付けられた状態を示している。図１３（ａ）に示す状態では、鉤部３４の先端部が取付穴２８の縁に掛かっている。この状態では、腕部３２の先端部が本体１８の裏面から外れても本体２９を本体１８から外すことはできない。
【００３７】
鉤部３４は、所定の方向から外力が加えられることにより、鉤状の先端部が取付穴２８の縁から外れる方向に変位する。例えば、図１３（ａ）に示す状態では、鉤部３４は第１位置に配置されている。第１位置は、本体２９（保持部１７）を本体１８（基部１６）から取り外すことができない状態にする位置である。鉤部３４は、この状態から第２位置に変位可能である。第２位置は、本体２９（保持部１７）を本体１８（基部１６）から取り外し可能な状態にする位置である。図１３（ａ）に示す例では、鉤部３４は左側に変位し、第２位置に配置される。なお、本体２９が本体１８に適切に取り付けられた状態では、取り外し用の工具３５を使用しなければ、鉤部３４の鉤状の先端部を取付穴２８の縁から外すことはできない。即ち、鉤部３４を変位させて保持部１７を基部１６から取り外すことはできない。
【００３８】
図１４は、取り外し用の工具を示す図である。図１４に示す工具３５には２種類の使用方法がある。上述したように、工具３５は、鉤部３４の鉤状の先端部を取付穴２８の縁から外す際に使用される。工具３５に備えられた板状部３６は、この時に使用される部分である。工具３５のもう一つの使用方法については後述する。
【００３９】
工具３５は、一枚の板状の部材から形成される。板状部３６は、先端部以外の部分の幅が一定（ｗ１）であり、先端部は先端に近づくに従って幅が大きくなる。板状部３６の先端の幅はｗ２（＞ｗ１）である。板状部３６は、先端部の一方の角部３６ａのみ側方に突出する。先端部の他方の角部３６ｂは、約９０度に形成される。
【００４０】
本体２９に、工具３５の板状部３６を挿入するための解除孔３７が形成される。スリット３７ａは、解除孔３７の一部であり、板状部３６を適切な向きに合わせるために形成されている。解除孔３７は、鉤部３４に沿って形成される。解除孔３７は、本体２９の表面及び裏面で開口する。本実施の形態で示す例では、鉤部３４は、解除孔３７の内部に配置されている。工具３５を用いて鉤部３４の先端部を取付穴２８の縁から外すことができれば、解除孔３７の内部に露出するのは鉤部３４の一部のみであっても良い。
【００４１】
スリット３７ａは、工具３５の板状部３６が挿入された時に板状部３６の側方を向く端面が鉤部３４（鉤部３４の解除孔３７の内部に露出する部分）に対向するように、鉤部３４に沿って形成される。スリット３７ａは、本体２９の表面に開口する幅ｗ３が板状部３６の先端の幅ｗ２より僅かに大きい。また、スリット３７ａは、本体２９の裏面に近接する部分において、本体２９の裏面に近づくに従ってその幅が徐々に狭くなる。スリット３７ａを形成する壁面のうち鉤部３４に対向する壁面は、本体２９の裏面に近接する部分において本体２９の裏面に近づくに従って鉤部３４に接近する。以下においては、この鉤部３４に対向する壁面のうち、本体２９の裏面に近づくに従って鉤部３４に接近する部分のことを壁面３７ｂという。
【００４２】
以下に、保持部１７を基部１６から取り外す操作について説明する。
工具３５の板状部３６を、本体２９の表面側からスリット３７ａに挿入する。この時、板状部３６の角部３６ａを鉤部３４側に向ける。板状部３６をスリット３７ａに挿入していくと、ある時点で板状部３６の角部３６ｂがスリット３７ａの壁面３７ｂに接触する。この状態から板状部３６をスリット３７ａに更に押し込むと、板状部３６の角部３６ｂが壁面３７ｂに沿って動き、板状部３６が鉤部３４に接近するように移動する。これにより、板状部３６の角部３６ａが鉤部３４に接触する。この状態から板状部３６をスリット３７ａに更に押し込むと、鉤部３４が板状部３６の先端部によって押され、鉤部３４の鉤状の先端部が取付穴２８の縁から外れる方向に変位する。即ち、鉤部３４が図１３（ａ）に示す第１位置から図１３（ｂ）に示す第２位置に変位する。鉤部３４の先端部が取付穴２８の縁から外れた状態で腕部３２の先端部を本体１８から外すことにより、保持部１７を基部１６から取り外すことができる。
【００４３】
また、本体２９に、保持孔３８が形成される。保持孔３８は、ＬＥＤランプ１の一端部（口金８）を保持するための孔である。保持孔３８は、その軸が、凹部２１の軸（ガイド２２の軸）と一直線状になるように配置される。即ち、ＬＥＤランプ１の一端部（口金８）が、保持孔３８を貫通する。開口３９は、保持孔３８に通じる開口である。保持孔３８は、その軸と直交する方向（例えば、下方）にも一直線状に開口している。この下向きの開口３９は、本体１８に形成された凹部２４と一直線状に配置される。ＬＥＤランプ１の取り付け時、突出部１０は開口３９を下方から通過し、保持孔３８に進入する。ＬＥＤランプ１の一端部を保持孔３８の内部で回転させ、端子１１を給電用の板ばねに接触させる。
【００４４】
保持部材４０は、ＬＥＤランプ１を所定の向きで保持するためのものである。例えば、ＬＥＤランプ１は、保持部材４０により、上記第１向きから一定の角度傾斜させた向きで保持される。以下の説明では、保持部材４０を個別に特定する必要がある場合、図１０に示すように、符号にａ乃至ｄを付して区別する。保持部材４０は、保持孔３８の外側に配置される。保持部材４０の先端部は、保持孔３８の中心方向に向かって僅かに突出する。保持部材４０は、先端部が保持孔３８の外側に向かって一定以上の力で押されると、その押された方向に変位する。
【００４５】
突出部１０が保持孔３８内で水平に配置されると、ＬＥＤランプ１は、本体１８によって第１向きで保持される。この状態からＬＥＤランプ１を一方向（例えば、図１０（ａ）において時計回り）に回転させると、突出部１０が、保持部材４０ａの先端部と保持部材４０ｂの先端部との間に配置される。図１０（ａ）では、この状態の突出部を符号１０ａで示している。突出部１０ａを更に回転させるためには、保持部材４０ａの先端部或いは保持部材４０ｂの先端部を外側に変位させなければならない。即ち、ＬＥＤランプ１は、上記第１向きから一定の角度（例えば、＋３５度）傾斜させた向きで保持される。同様に、ＬＥＤランプ１は、保持部材４０ｃの先端部及び保持部材４０ｄの先端部により、上記第１向きから一定の角度（例えば、−３５度）傾斜させた向きで保持される。
【００４６】
閉塞体３０は、保持孔３８に通じる上記開口３９を開閉するためのものである。本体２９に、閉塞体３０を支持するための支持孔４１が形成される。支持孔４１は、開口３９を形成する一方の壁面３９ａに開口する。支持孔４１は、壁面３９ａから開口３９の開口方向と直交する方向に延び、本体２９の一側の側面（以下、「一側面」ともいう）に開口する。また、開口３９を形成する他方の壁面３９ｂに、凹部４２が形成される。凹部４２は、支持孔４１の断面形状と同じ形状で壁面３９ｂに開口する。
【００４７】
閉塞体３０は、支持孔４１に本体２９の一側面側から挿入され、支持孔４１に配置される。閉塞体３０は、支持孔４１に沿ってスライドする。
【００４８】
押えばね３１は、閉塞体３０を一方向に押し付けるためのものである。押えばね３１は弾性体の一例である。押えばね３１は、一方の端部が本体２９の一側面の上部にネジ４３によって固定される。押えばね３１の他方の端部（先端部）は、本体２９の一側面の下部において閉塞体３０に接触する。閉塞体３０は、押えばね３１によって常に凹部４２側に押し付けられる。押えばね３１からの力しか閉塞体３０に作用していなければ、閉塞体３０は、開口３９を閉塞する閉塞位置に配置される。閉塞体３０が閉塞位置に配置されると、突出部１０は開口３９を通過することができない。これにより、ＬＥＤランプ１の一端部がソケット２から外れることを防止する。
【００４９】
閉塞体３０が押えばね３１の押付力に抗して移動すると、閉塞体３０は、開口３９を開放する開放位置に配置される。口金８をソケット２に接続する場合は、閉塞体３０を開放位置に配置しなければならない。開放位置は、開口３９を完全に開放する位置でなくても良い。開放位置は、突出部１０が開口３９を通過できる位置であれば良い。
【００５０】
閉塞体３０が閉塞位置に配置されると、閉塞体３０の先端部が凹部４２内に配置される。この状態から閉塞体３０を手で移動させることは困難である。閉塞位置に配置された閉塞体３０を押えばね３１の押付力に抗して移動させるために、工具３５が使用される。工具３５に備えられた板状部４４は、この時に使用される部分である。板状部４４は、根元部分から先端まで一定の幅ｗ４を有する。
【００５１】
本体２９に、工具３５の板状部４４を挿入するための挿入孔４５が形成される。挿入孔４５は、凹部４２の底面から本体２９の他側の側面（以下、「他側面」ともいう）に通じる孔である。挿入孔４５は、工具３５の板状部４４の断面形状に合わせた形状を有する。挿入孔４５は、開口３９を間に挟んで支持孔４１と一直線状になるように本体２９に形成される。閉塞体３０が本体２９に取り付けられていなければ、挿入孔４５の凹部４２の底面に形成される開口は、支持孔４１の壁面３９ａに形成される開口に対向する。
【００５２】
板状部４４は、本体２９の他側面側から挿入孔４５に挿入される。板状部４４を挿入孔４５に挿入していくと、板状部４４の先端が閉塞体３０の先端面に接触する。この状態から板状部４４を挿入孔４５に更に押し込むと、閉塞体３０の先端が板状部４４に押され、開口３９が開放する方向に閉塞体３０が移動する。このようにして、工具３５を使用することにより、閉塞体３０を開放位置まで移動させることができる。
【００５３】
なお、工具３５を用いて閉塞体３０を開放位置まで移動させても、開口３９を横切るように板状部４４が配置される。このため、この状態でＬＥＤランプ１の一端部をソケット２から外すことはできない。閉塞体３０は押えばね３１から常に力を受けているため、板状部４４を挿入孔４５から引き抜くと、閉塞体３０は閉塞位置に戻る。
【００５４】
このように、工具３５を使用しなければ、閉塞体３０を押えばね３１の押付力に抗して移動させることができない。また、工具３５を使用しただけでは、板状部４４を挿入孔４５から引き抜いた際に、閉塞体３０が閉塞位置に戻ってしまう。このため、第三者によってＬＥＤランプ１がソケット２から取り外されることを防止することができる。なお、開口３９を開放できなければ、ＬＥＤランプ１の取り替えを行うことができない。板状部４４が挿入孔４５から引き抜かれても閉塞体３０を開放位置に留めておくため、取り替え用の工具４６が使用される。図１５は、取り替え用の工具を示す図である。図１５に示す工具４６は、ＬＥＤランプ１の取り替えを行う時に用いられる。
【００５５】
工具４６は、本体部４７、操作部４８、規制部４９、位置設定部５０を備える。
操作部４８、規制部４９及び位置設定部５０は、板状を呈する本体部４７に設けられる。本体部４７と操作部４８とは、全体としてＬ字形状に形成される。操作部４８は、ＬＥＤランプ１の取り替えを行う作業者が持つ部分である。操作部４８は、本体部４７から下方に突出する。なお、工具４６の説明では、本体２９に取り付けられた状態を基準に上下を特定する。工具４６が本体２９に取り付けられる向きは、図１５（ｃ）に示す向きである。
【００５６】
規制部４９は、閉塞体３０を開放位置で保持する際に閉塞体３０に実際に接触してその移動を規制する部分である。規制部４９は、細い（薄い）棒状の部材からなる。規制部４９は、本体部４７の上方で本体部４７の上面に対して平行に配置される。本体部４７の上面と規制部４９の下面との間に、距離ｔ１の隙間が形成される。また、本体部４７には、規制部４９の両側に位置する部分に上方に突出する凸部５１が形成される。
【００５７】
位置設定部５０は、工具４６を本体２９に対して適切な位置に配置するための部材である。
【００５８】
閉塞体３０は、外形が直方体状を呈する。閉塞体３０は、本体２９の裏面と同じ方向を向く面に凹部５２が形成される。また、閉塞体３０は、規制部材５３を備える。規制部材５３は、工具４６によって閉塞体３０が開放位置で保持される際に規制部４９に接触する部分である。即ち、規制部材５３が規制部４９に接触することにより、閉塞体３０の移動が阻害され、閉塞体３０が開放位置で保持される。
【００５９】
規制部材５３は、例えば、板状の部材からなる。規制部材５３は、凹部５２を形成する壁面或いは底面から凹部５２の内部に突出する。規制部材５３は、先端が最も下方に配置されるように、凹部５２の内部で僅かに斜めに配置される。規制部材５３は、先端が本体２９の他側面側を向くように配置される。規制部材５３は、下方から力を受けると凹部５２内で上方に変位する。その後、下方からの力が取り除かれると、規制部材５３は元の位置に戻る。また、規制部材５３の傾きは僅かであるため、規制部材５３の先端部が本体２９の他側面側から押されても、規制部材５３は変位しない。
【００６０】
本体２９に、工具４６の規制部４９を挿入するための挿入孔５４が形成される。挿入孔５４は、支持孔４１に通じる孔である。挿入孔５４は、本体２９（保持部１７）の裏面及び支持孔４１を形成する壁面で開口する。挿入孔５４は、工具４６の規制部４９の断面形状に合わせた形状を有する。挿入孔５４の支持孔４１を形成する壁面に形成される開口は、閉塞体３０の凹部５２に対向する。
【００６１】
図１６及び図１７も参照し、ＬＥＤランプ１の取り替えを行う時の操作について説明する。図１６はＬＥＤランプの取り替えを行う時の操作を説明するための図である。図１７は、図１６のＤ−Ｄ断面を示す図である。
【００６２】
工具４６の規制部４９を挿入孔５４に挿入する。規制部４９を挿入孔５４に挿入していくと、本体部４７に形成された凸部５１が本体２９の下面に接触する。この状態から規制部４９を挿入孔５４に更に押し込み、位置設定部５０を本体２９の裏面に接触させる。位置設定部５０が本体２９の裏面に接触する位置に工具４６が配置されると、規制部４９は、先端側が支持孔４１内に突出し、閉塞体３０の凹部５２内に配置される。閉塞体３０が閉塞位置に配置されていれば、規制部４９は、凹部５２内において規制部材５３の下側に配置される（図１７（ａ）参照）。また、位置設定部５０が本体２９の裏面に接触する位置に工具４６が配置されると、本体２９の下面を形成する部分が規制部４９と凸部５１とによって上下から挟まれる。これにより、工具４６が本体２９に取り付けられる。
【００６３】
次に、工具３５を使用し、押えばね３１の押付力に抗して閉塞体３０を移動させる。
上述したように、工具３５の板状部４４を本体２９の他側面側から挿入孔４５に挿入する。そして、板状部４４の先端で閉塞体３０を押し、閉塞体３０を本体２９の一側面側に移動させる。閉塞体３０の移動が開始されると、工具４６の規制部４９が規制部材５３の下向きの面に下方から接触する。板状部４４に押されて閉塞体３０が更に移動すると、規制部４９に押されて規制部材５３が凹部５２内で上方に変位する。閉塞体３０が開放位置まで移動すると、規制部材５３は、規制部４９の上方を完全に通過する。規制部材５３が規制部４９の上方を通過し終わると、規制部材５３は、凹部５２内で下方に変位する。即ち、規制部４９から力を受けなくなり、規制部材５３は元の位置に戻る。閉塞体３０が開放位置まで移動すると、規制部４９は、凹部５２内において、規制部材５３の先端に対向するように規制部材５３の真横に配置される（図１７（ｂ）参照）。
【００６４】
図１７（ｂ）に示す状態で板状部４４を挿入孔４５から引き抜くと、閉塞体３０は、押えばね３１に押されて本体２９の他側面側に僅かに移動する。しかし、閉塞体３０が移動を開始すると、規制部材５３の先端が直ぐに規制部４９に接触する。このため、閉塞体３０の移動は阻害され、閉塞体３０は開放位置で保持される（図１７（ｃ）参照）。ＬＥＤランプ１の取り替え作業は、閉塞体３０が開放位置で保持された状態で行われる。
【００６５】
ＬＥＤランプ１の取り替え作業が完了して閉塞体３０を閉塞位置に戻す場合は、工具４６を本体２９から取り外せば良い。規制部材５３の先端は、規制部４９が挿入孔５４から抜かれる時に規制部４９の移動を阻害することがないように、棒状を呈する規制部４９の側面のみに接触する。規制部４９が挿入孔５４から引き抜かれると、閉塞体３０は押えばね３１に押され、閉塞位置まで移動する。
【００６６】
一方、ソケット３は、ＬＥＤランプ１の他端部（口金１２）を保持する機能を備える。ソケット３は、ＬＥＤランプ１の一端部（口金８）を保持する機能を備えていない。また、ソケット３は、ＬＥＤランプ１に電力を供給する機能を備えていない。
【００６７】
ソケット３は、基部５５、保持部５６から構成される。基部５５は、上端部が、建築側の取付部（図示せず）に固定される。基部５５が固定される取付部と基部１６が固定される取付部とは、同一部品でなくても構わない。基部５５が固定される取付部は、カバー４の上方に配置される。基部５５は、上端部が取付部に固定されると、カバー４に形成された開口５７（切り欠きを含む）を通過して、カバー４の下方に突出する。基部５５の具体的な構成は、上記特許文献３の図１２に示された構成と同じであっても良い。保持部５６の具体的な構成は、上記特許文献３の図１３に示された構成と同じであっても良い。
【００６８】
上記構成を有する照明装置であれば、第三者がソケット２からＬＥＤランプ１の一端部を取り外すことができない。このため、ＬＥＤランプ１の盗難を防止できる。駐車場等の人気があまりない場所でも安心してＬＥＤランプ１を使用することが可能となる。ＬＥＤランプ１の寿命は長いため、一般消費者がＬＥＤランプ１の交換を行うことができなくても、商品の利便性が損なわれることはない。
【００６９】
上記構成を有する照明装置であれば、工具３５及び工具４６を使用しなければ、ＬＥＤランプ１をソケット２及び３に装着することができない。このため、照明装置へのいたずら等も防止できる。
【００７０】
ＬＥＤランプ１の盗難防止機能は、以下の構成でも実現できる。
ＬＥＤランプ１がソケット２の基部１６に接続されている状態で保持部１７を基部１６から取り外すことができれば、保持孔３８に開口３９が備えられていなくても良い。かかる場合、鉤部３４及び解除孔３７は、ＬＥＤランプ１が基部１６に接続されていても工具３５の板状部３６を解除孔３７に差し込むことができる位置に配置される。
【００７１】
本実施の形態で例示したように開口３９が閉塞体３０によって開閉される場合は、保持部１７を基部１６から取り外すことなくＬＥＤランプ１の取り替えを行うことができる。本実施の形態では、解除孔３７を保持孔３８の上方で開口させ、ＬＥＤランプ１が基部１６に接続されている状態では工具３５の板状部３６を解除孔３７に差し込むことができないようにしている。
【００７２】
本実施の形態では、挿入孔５４が本体２９（保持部１７）の裏面で開口する場合について説明した。挿入孔５４は、本体２９（保持部１７）の表面で開口しても良い。但し、本体２９の裏面側から工具４６の規制部４９を挿入孔５４に挿入するようにすれば、工具４６を本体２９に取り付ける際及び工具４６を本体２９から取り外す際に工具４６がＬＥＤランプ１に接触することを防止できる。
【００７３】
本実施の形態で開示した解除孔３７（スリット３７ａ）の形状、挿入孔４５の形状及び挿入孔５４の形状は一例である。各孔の形状を工夫すれば、鍵機能を向上できることは言うまでもない。
【００７４】
なお、上記構成を有する照明装置であれば、ＬＥＤランプ１に対する保持及び給電を適切に行うことができる。一方、既存の直管形蛍光ランプに対する保持及び給電は適切に行うことができない。このため、照明装置におけるランプの取り付けに関する不具合も解消できる。
【符号の説明】
【００７５】
１  ＬＥＤランプ、  ２  ソケット、  ３  ソケット、  ４  カバー、  ５  管状体、  ６  透光体、  ７  支持体、  ８  口金、  ９  端部カバー、  １０  突出部、  １１  端子、  １２  口金、  １３  端部カバー、  １４  突出部、  １５  溝、  １６  基部、  １７  保持部、  １８  本体、  １９  回転体、  ２０  開口、  ２１  凹部、  ２２  ガイド、  ２３  凹部、  ２４  凹部、  ２５  凹部、  ２６  溝、  ２７  凹部、  ２８  取付穴、  ２９  本体、  ３０  閉塞体、  ３１  押えばね、  ３２  腕部、  ３３  凸部、  ３４  鉤部、  ３５  工具、  ３６  板状部、  ３７  解除孔、  ３８  保持孔、  ３９  開口、  ４０  保持部材、  ４１  支持孔、  ４２  凹部、  ４３  ネジ、  ４４  板状部、  ４５  挿入孔、  ４６  工具、  ４７  本体部、  ４８  操作部、  ４９  規制部、  ５０  位置設定部、  ５１  凸部、  ５２  凹部、  ５３  規制部材、  ５４  挿入孔、  ５５  基部、  ５６  保持部、  ５７  開口
【図１】
2015185357.tif 000003
【図２】
2015185357.tif 000004
【図３】
2015185357.tif 000005
【図４】
2015185357.tif 000006
【図５】
2015185357.tif 000007
【図６】
2015185357.tif 000008
【図７】
2015185357.tif 000009
【図８】
2015185357.tif 000010
【図９】
2015185357.tif 000011
【図１０】
2015185357.tif 000012
【図１１】
2015185357.tif 000013
【図１２】
2015185357.tif 000014
【図１３】
2015185357.tif 000015
【図１４】
2015185357.tif 000016
【図１５】
2015185357.tif 000017
【図１６】
2015185357.tif 000018
【図１７】
2015185357.tif 000019